(57)【要約】      （修正有）【課題】外部接続される表示装置に対し、好適な画質で映像を出力させるための情報を送信する。【解決手段】動画像を含む映像の映像信号を生成する表示コントローラと、映像信号を出力し、動作制御用の各種コマンドを入出力するためのコネクタ２６と、各種コマンドを送受信するコマンド送受信手段２７と、動画像の表示形態をフルスクリーン表示又はウィンドウ表示の一方から他方へ変更するためのイベントを検出する変更イベント検出手段と、ウィンドウ表示からフルスクリーン表示へ変更するためのイベントを検出した場合、第１の表示モードから第２の表示モードへの表示モード変更のためのコマンドをコマンド送受信手段を用いてコネクタに出力し、フルスクリーン表示からウィンドウ表示へ変更するためのイベントを検出した場合、第２の表示モードから第１の表示モードへの表示モード変更のためのコマンドを出力するコマンド出力手段とを具備する。【選択図】図４
2010081638.tif 000002
【特許請求の範囲】
【請求項１】
番組表を生成する機能と、動画像を再生する機能とを有する再生手段と、
前記再生手段によって番組表が生成されている場合に当該番組表の映像信号を生成し、前記再生手段によって動画像が再生されている場合に当該動画像の映像信号を生成する表示コントローラと、
前記映像信号を表示装置に出力すると共に、当該表示装置との間でコマンドを入出力するためのコネクタと、
前記表示コントローラによって前記動画像の映像信号が生成されている状態から前記番組表の映像信号が生成されている状態へ遷移する場合に、第１の表示モードから第２の表示モードへ変更するための第１コマンドを前記表示装置に出力するコマンド出力手段と
を具備することを特徴とする情報処理装置。
【請求項２】
前記表示コントローラによって前記動画像の映像信号が生成されている状態から前記番組表の映像信号が生成されている状態へ遷移する場合に、前記コマンド出力手段は、前記第２の表示モードから前記第１の表示モードへ変更するための第２コマンドを前記表示装置に出力することを特徴とする請求項１に記載の情報処理装置。
【請求項３】
前記再生手段によって再生されている動画像の再生が停止された場合に、前記コマンド出力手段は前記第２の表示モードから前記第１の表示モードへ変更するための第２コマンドを前記表示装置に出力する
ことを特徴とする請求項１に記載の情報処理装置。
【請求項４】
放送番組を受信する受信装置を更に具備し、
前記再生手段は、前記受信装置によって受信される放送番組を記憶装置にコンテンツとして格納する機能を有することを特徴とする請求項１に記載の情報処理装置。
【請求項５】
前記再生手段は、前記記憶装置に格納されているコンテンツのリストを生成する機能を有し、
前記コマンド出力手段は、前記表示コントローラによって前記コンテンツのリストを含む映像信号が生成されている場合に前記第２の表示モードから前記第１の表示モードへ変更するための第２コマンドを前記表示装置に出力する
ことを特徴とする請求項４に記載の情報処理装置。
【請求項６】
記憶メディアを駆動するドライブユニットをさらに具備し、
前記再生手段は、前記ドライブユニットによって前記記憶メディアから読み出される映像データから動画像を再生することを特徴とする請求項１に記載の情報処理装置。
【請求項７】
前記コネクタは、ＨＤＭＩ（High-Definition-Multimedia Interface）ケーブルを取り外し自在に接続することを特徴とする請求項１に記載の情報処理装置。
【発明の詳細な説明】
【技術分野】
【０００１】
この発明は、例えばテレビジョン放送受信機等に対して映像信号を送出可能な画像再生機能を有する情報処理装置に関する。
【背景技術】
【０００２】
コンピュータの映像をＰＣ用モニタに表示する場合とテレビに表示する場合では、一般的に表示に適した画質が異なる。
【０００３】
また、コンピュータが文書などを表示している状態をＴＶに表示する場合と、コンピュータが動画を再生している状態をＴＶに表示する場合でも表示に適した画質は異なる。前者は、文字を読み取りやすい画質が好ましく、後者は、動画の色合いなどが本来の色合いに近い状態で表示できる画質が好ましい、と考えられる。
【０００４】
特許文献１には、ＬＣＤ表示装置に画質切替ボタンを設け、ＤＶＤやＴＶ画像などの動画像が入力された場合、ユーザのボタン操作で通常の画面より高輝度、色補正を行なったモードに切り替える技術が開示されている。
【先行技術文献】
【特許文献】
【０００５】
【特許文献１】特開２００２−１１６７３６号公報
【発明の概要】
【発明が解決しようとする課題】
【０００６】
上述した技術では、表示装置に対し、好適な画質で画像を出力させるための情報を通知することについて考慮されていない。そのため、表示装置に表示する画像の状態をユーザの好みの設定で表示させたいと考えた場合、ユーザが自ら操作を行う必要があり、利便性に欠ける。特に、例えばコンピュータが出力する画像をＴＶに表示させる場合には、好適な表示形態で表示させようとすると、文書や映像再生などのコンピュータのアプリケーション操作と合わせて、表示設定を変えるためにＴＶも操作する必要が生じて非常に煩雑となる。よって、ユーザが操作することなく、画質の変更がなされることが望ましい。
【０００７】
本発明の目的は、出力する映像に応じた好適な画質で表示装置に画像を表示させることが可能になる情報処理装置を提供することにある。
【課題を解決するための手段】
【０００８】
本発明の一例に係わる情報処理装置は、番組表を生成する機能と、動画像を再生する機能とを有する再生手段と、前記再生手段によって番組表が生成されている場合に当該番組表の映像信号を生成し、前記再生手段によって動画像が再生されている場合に当該動画像の映像信号を生成する表示コントローラと、前記映像信号を表示装置に出力すると共に、当該表示装置との間でコマンドを入出力するためのコネクタと、前記表示コントローラによって前記動画像の映像信号が生成されている状態から前記番組表の映像信号が生成されている状態へ遷移する場合に、第１の表示モードから第２の表示モードへ変更するための第１コマンドを前記表示装置に出力するコマンド出力手段とを具備することを特徴とする。
【発明の効果】
【０００９】
本発明によれば、出力する映像に応じた好適な画質で表示装置に画像を表示させることが可能になる。
【図面の簡単な説明】
【００１０】
【図１】本発明の一実施形態に係わる情報処理装置およびモニタの外観を示す図。
【図２】図１に示す情報処理装置のシステム構成を示すブロック図。
【図３】フルスクリーンモードとウィンドウモードとを説明するための図。
【図４】図１に示す情報処理装置において実現される（モード検出機構およびコマンド送信機構に関する機能ブロックを示す図
【図５】情報処理装置が実行するモードの切り替え動作に伴うコマンド送信の手順を示すフローチャート。
【図６】情報処理装置が実行するモードの切り替え動作に伴うコマンド送信の手順を示すフローチャート。
【発明を実施するための形態】
【００１１】
本発明の実施の形態を以下に図面を参照して説明する。
【００１２】
図１および図２を参照して本発明の一実施形態に係わる情報処理装置を説明する。情報処理装置は、ノートブック型パーソナルコンピュータとして実現されている。
【００１３】
図１を参照して本発明の一実施形態に係わるモニタ（シンク機器）および情報処理装置（ソース機器）の構成を示す図である。
【００１４】
このパーソナルコンピュータ１は、放送番組データ、外部機器から入力されるビデオデータといった、映像コンテンツデータ（オーディオビジュアルコンテンツデータ）を記録および再生することができる。即ち、パーソナルコンピュータ１は、テレビジョン放送信号によって放送される放送番組データの視聴および録画を実行するためのテレビジョン（ＴＶ）機能を有している。このＴＶ機能は、例えば、パーソナルコンピュータ１に予めインストールされているＴＶアプリケーションプログラムによって実現されている。また、ＴＶ機能は、外部のＡＶ機器から入力されるビデオデータを記録する機能、および記録されたビデオデータおよび記録された放送番組データを再生する機能も有している。
【００１５】
図１に示すように、ここでは、情報処理装置１をモニタ２とＨＤＭＩ（High-Definition Multimedia Interface）ケーブル３で接続する場合を想定する。モニタ２は、大画面の高精細テレビジョン放送受信機（ＴＶ）である。情報処理装置１には、高精細画像データを再生するソフトウェア（アプリケーションプログラム）が種々インストールされており、ＨＤＭＩケーブル３で接続することにより、これらアプリケーションプログラムが再生した高精細映像をモニタ２によって楽しむことができる。また、このＨＤＭＩケーブル３で接続される情報処理装置１とモニタ２とは、当該ＨＤＭＩケーブル３を介して、接続相手を動作制御するための各種コマンドを相互に送受信することができる。
【００１６】
図２は、本情報処理装置１の構成を示す図である。図２に示すように、本情報処理装置１は、ＣＰＵ１１、ノースブリッジ１２、主メモリ１３、グラフィックスコントローラ１４、ＶＲＡＭ１４Ａ、ディスプレイ１５、サウスブリッジ１６、ＢＩＯＳ−ＲＯＭ１７、ＨＤＤ１８、光磁気ディスク駆動装置（ＯＤＤ）１９、サウンドコントローラ２０、スピーカ２１、エンベデッドコントローラ／キーボードコントローラ（ＥＣ／ＫＢＣ）２２、キーボード２３、タッチパッド２４、ＴＶチューナ２５、ＨＤＭＩコネクタ２６およびＣＥＣ（機器間双方向制御）コントローラ２７等を備えている。
【００１７】
ＣＰＵ１１は、本情報処理装置１内の各部の動作を制御するプロセッサである。ＣＰＵ１１は、ＨＤＤ１８から主メモリ１３にロードされるオペレーティングシステム（ＯＳ）１００や、このＯＳ１００の制御下で動作する、ユーティリティ（ユーティリティ１０２）およびＡＶコンテンツを取り扱うアプリケーション（ＴＶアプリケーションプログラム１０１）を含む各種プログラムを実行する。ＯＳ１００は、複数のウィンドウを表示画面上に表示するためのウィンドウシステムを有している。
【００１８】
ＴＶアプリケーションプログラム１０１はＴＶ機能を実行するためのソフトウェアである。このＴＶアプリケーションプログラム１０１は、ＴＶチューナ２５によって受信された放送番組データを視聴するためのライブ再生処理、受信された放送番組データをＨＤＤ１８に記録する録画処理、およびＨＤＤ１８に記録された放送番組データ／ビデオデータを再生する再生処理等を実行する。
【００１９】
ＣＰＵ１１で実行されるユーティリティの１つとして、後述する映像状態通知ユーティリティ１０２が存在する。また、ＣＰＵ１１は、ＢＩＯＳ−ＲＯＭ１７に格納された基本入出力システム（ＢＩＯＳ）も実行する。なお、以下では、このＢＩＯＳ−ＲＯＭ１７に格納された基本入出力システム自体をＢＩＯＳ１７と称することがある。
【００２０】
ノースブリッジ１２は、ＣＰＵ１１のローカルバスとサウスブリッジ１６との間を接続するブリッジデバイスである。ノースブリッジ１２は、バスを介してグラフィックスコントローラ１４との通信を実行する機能を有しており、また、主メモリ１３をアクセス制御するメモリコントローラも内蔵されている。グラフィックスコントローラ１４は、本情報処理装置１側のディスプレイ１５を制御する表示コントローラである。グラフィックスコントローラ１４は、ＶＲＡＭ１４Ａに書き込まれた画像データからディスプレイ１５に送出すべき映像信号を生成する。グラフィックスコントローラ１４は、映像信号をＨＤＭＩコネクタ２６から外部出力する機能も有している。
【００２１】
サウスブリッジ１６は、ＰＣＩバスおよびＬＰＣバス上の各種デバイスを制御するコントローラである。また、このサウスブリッジ１６には、ＢＩＯＳ−ＲＯＭ１７、ＨＤＤ１８、ＯＤＤ１９およびサウンドコントローラ２０が直接的に接続され、これらを制御する機能も有している。ＨＤＤ１８には、例えばテレビジョン放送番組データやインターネット経由でダウンロードされたＡＶコンテンツ等が格納され、ＯＤＤ１９には、ＡＶコンテンツを格納した例えばＤＶＤ等が収容される。サウンドコントローラ２０は、スピーカ２１を制御する音源コントローラである。サウンドコントローラ２０は、音声信号をＨＤＭＩコネクタ２６から外部出力する機能も有している。
【００２２】
ＥＣ／ＫＢＣ２２は、電力管理のためのエンベデッドコントローラと、キーボード２３およびタッチパッド２４を制御するためのキーボードコントローラとが集積された１チップマイクロコンピュータである。
【００２３】
ＨＤＭＩコネクタ２６は、ＨＤＭＩケーブル３を取り外し自在に接続するために設けられる端子である。そして、ＣＥＣコントローラ２７は、ＥＣ／ＫＢＣ２２の制御下で、ＨＤＭＩコネクタ２６を介して動作制御用の各種コマンドを送受信するためのデータ転送制御を実行する。
【００２４】
ＴＶチューナ２５はテレビジョン（ＴＶ）放送信号によって放送される放送番組データを受信する受信装置であり、アンテナ端子２５Ａに接続されている。このＴＶチューナ２５は、例えば、地上波デジタルＴＶ放送のようなデジタル放送番組データを受信可能なデジタルＴＶチューナとして実現されている。また、ＴＶチューナ２５は、外部機器から入力されるビデオデータをキャプチャする機能も有している。
【００２５】
ＴＶアプリケーションプログラム１０１によって表示される動画像は、通常、ＴＶアプリケーションプログラム１０１に対応するウィンドウ内に表示される。この場合、図３（Ａ）に示すように、例えば、ＴＶアプリケーションプログラム１０１に対応するウィンドウはデスクトップ画面上に配置され、そのウィンドウ内に動画像が表示される（ウィンドウモード）。このようにウィンドウモードで表示を行うと、例えば、文書アプリケーションのテキスト等も表示することができるようになる。
【００２６】
また、本コンピュータ１は、動画像をディスプレイ１５の表示画面上にフルスクリーンで表示させることもできる（フルスクリーンモード）。このフルスクリーンモードにおいては、図３（Ｂ）に示すように、動画像だけが表示画面上のほぼ全エリアに表示される。この場合、デスクトップ画面、およびビデオ再生アプリケーションプログラム以外の他のアプリケーションプログラムに対応するウィンドウは基本的には表示されない。また、ビデオ再生アプリケーションプログラムに対応するウィンドウのメニューバーなども表示されず、動画像だけが表示画面上のほぼ全エリアに表示される。
【００２７】
ここで、コンピュータ１からＨＤＭＩケーブル３を介して映像信号を送信し、当該映像信号に基づく画像をモニタ２に表示させる場合を考える。この時、フルスクリーンモードかウィンドウモードの何れか一方のモードで生成された画像の映像信号がモニタ２に送られる。
【００２８】
例えば動画像をモニタ２に表示させる場合、モニタ２では、動画像表示に適した画質で表示されるように画像の改質を行うことが好ましい。ところが、テキストを含む画像を表示させる際には、動画像表示に適する画質状態ではテキスト部分がクリアーではなく、見にくい場合がある。
【００２９】
そこで、コンピュータ１から出力される情報がフルスクリーンモードの映像信号である場合、動画の色合いなどが本来の色合いに近い状態で表示できる画質に設定し、ウィンドウモードの映像信号である場合に文字を読み取りやすい画質に設定すれば良いのであるが、モニタ２側では受信している映像信号がウィンドウモードとフルスクリーンモードの何れかのモードでコンピュータ１側が映像信号を生成したのかは、知ることが出来ない。そこで、本コンピュータ１は、ウィンドウモードとフルスクリーンモードの何れかで映像信号を生成しているのかをＣＥＣコントローラ２７からコマンドを送信して、モニタ２側に画質の切替を依頼する。モニタ２は、映像信号を送られたコマンドに応じて画質を調整する。
【００３０】
尚、本実施例では、例えばフルスクリーンモードの映像に対応する動画の色合いなどが本来の色合いに近い状態で表示できる画質（第２の表示モード）、及びウィンドウモードの映像に対応する文字を読み取りやすい画質（第１の表示モード）は其々製品出荷時に設定されているパラメータに基づいて決定する場合を想定しているが、これに限らず、ユーザが好みの画質に調整することでパラメータを適宜設定しても良い。
【００３１】
また、ＴＶチューナ２５を有するコンピュータ１の場合、フルスクリーンモードであっても常に動画像を表示しているものではなく、ＴＶチューナが受信するメタデータから番組表を表示したり、ＨＤＤ１８に格納されているコンテンツのリストを表示したりする場合がある。この場合、モニタ２では、テキストをはっきり表示できるウィンドウモード対応の画質（第１の表示モード）に設定する。
【００３２】
以下に、コンピュータ１のモードを検出する機構および送信する機構について説明する。図４は、本発明の一実施形態に係わるモード検出機構およびコマンド送信機構の構成を示すブロック図である。
【００３３】
例えばキーボード２３を使ってウィンドウモードおよびフルスクリーンモードの一方のモードから他方のモードを切り替える操作や番組表の表示／非表示を切り替える等の操作が行われると、そのキーボード操作に対応するキーコードがＥＣ／ＫＢＣ２２によって発生され、ＢＩＯＳ１７によってＯＳ１００に渡される。
【００３４】
映像状態通知ユーティリティ１０２は、ウィンドウモードおよびフルスクリーンモードの一方のモードから他方のモードに切り替える際、これに連動させて、ＣＥＣコントローラ２７を用いて、モードの状態をモニタ２側に通知するために設けられたプログラムであり、本情報処理装置１の電源オン時には常時動作する常駐型のプログラムとして登録されている。
【００３５】
この常駐型のプログラムである映像状態通知ユーティリティ１０２は、映像状態監視モジュール１０２１、映像状態通知モジュール１０２２を有している。映像状態監視モジュール１０２１は、ＴＶアプリケーションプログラム１０１の起動状態を検出し、起動を検出した場合にモードの切り替えを検出する。
【００３６】
モードの切り替えを検出した場合、映像状態通知モジュール１０２２は、ＣＥＣコントローラ２７に対して切り替えられたモードをモニタ２に送信するように指示する。映像状態通知モジュール１０２２は、指示されたモードに応じたコマンドをモニタ２に送るようにＣＥＣコントローラ２７に命令する。ＣＥＣ２７がモニタ２に送信するコマンドは、動画像がフルスクリーンモードで表示していることを示す全画面動画モードコマンドと、動画像がフルスクリーンモードで表示されていないことを示すウィンドウモードコマンドの二つである。
【００３７】
モニタ２は、全画面動画モードコマンドを受信すると、画質の設定を動画再生に適する第２の表示モードに変更する。また、モニタ２は、ウィンドウモードコマンドを受信すると、画質の設定を文書の参照等に適する第１の表示モードに変更する。
【００３８】
尚、本実施例のＴＶアプリケーション１０１は、ＴＶチューナ２５を介して受信した放送番組データから動画像を再生する動画再生モジュール１０１１に加え、番組表表示モジュール１０１２及びコンテンツリスト表示モジュール１０１３を有している。
【００３９】
番組表表示モジュール１０１２は、例えばＴＶチューナ２５を介して電子番組表を取得し、表示する機能を実行するためのモジュールである。コンテンツリスト表示モジュールは、例えばＨＤＤ１８に格納されているコンテンツに関する情報を読出し、コンテンツのリストを表示する機能を実行するためのモジュールである。
【００４０】
先述の映像状態監視モジュールは、ＴＶアプリケーション１０１の表示モード（フルスクリーンモードか、ウィンドウモードか）だけでなく、動画像再生モジュール１０１１により再生した動画像の映像信号を出力しているのか、番組表表示モジュール１０１２やコンテンツリスト表示モジュール１０１３が生成した番組表やコンテンツリストを出力しているのか等のイベントも検出している。
【００４１】
ＴＶアプリケーション１０１が生成する画像を表示する場合であっても、番組表やコンテンツリストを表示する場合には、モニタ２の表示モードを文字が読みやすいモードとすることが好適である。よって本実施例では、番組表やコンテンツリストの表示時（動画像の再生停止時）には、そのイベントを映像状態監視モジュール１０２１で検出して、映像状態通知モジュール１０２２から、モニタ２の表示モードを第２の表示モードから第１の表示モードへ変更するためのコマンド（ウィンドウモードコマンド）を送出する。
【００４２】
また、本実施例では、ＣＥＣコントローラ２７に対して切り替えられたモードをモニタ２に送信するように指示する場合、映像状態通知ユーティリティ１０２からではなく、ＴＶアプリケーションプログラム１０１、番組表表示プログラム１０３、コンテンツリスト表示プログラム１０４等から指示を出すことも出来る。
【００４３】
図５および図６は、本実施形態の情報処理装置１が実行するモードの切り替え動作に伴うコマンド送信の手順を示すフローチャートである。以下の処理は、コンピュータ１とモニタ２とがＨＤＭＩケーブル３によって接続されている状態で行われる処理である。
【００４４】
コンピュータ１がブートされ、映像状態通知ユーティリティ１０２が起動すると、ＴＶアプリケーションプログラム１０１等の他のアプリケーションプログラムは起動していない状態なので、映像状態通知モジュール１０２２は、ＣＥＣコントローラ２７に対してウィンドウモードコマンド（モニタ２に第１の表示モードで表示させるためのコマンド）をモニタ２に送信するように命令する。ＣＥＣコントローラ２７は、モニタ２に対してウィンドウモードコマンドを送信する（ステップＳ１１）。
【００４５】
次に、映像状態監視モジュール１０２１は、ＴＶアプリケーションプログラム１０１が起動しているかいないかを検出する（ステップＳ１２）。起動していないと判断した場合（ステップＳ１２のＮｏ）、定期的にステップＳ１２の処理を行ってＴＶアプリケーションプログラム１０１の起動を確認する。
【００４６】
ＴＶアプリケーションプログラム１０１が起動していると判断した場合（ステップＳ１２のＹｅｓ）、映像状態監視モジュール１０２１は、イベントが発生したか否かを検出する（ステップＳ１３）。イベントが発生していないと判断した場合（ステップＳ１３のＮｏ）、ステップＳ１２の処理に戻る。
【００４７】
イベントが発生したと判断した場合（ステップＳ１３のＹｅｓ）、映像状態監視モジュール１０２１は、発生したイベントがフルスクリーンモードに移行するためのイベントであるか否かを判別する（ステップＳ１４）。フルスクリーンモードに移行するためのイベントではないと判断した場合（ステップＳ１４のＮｏ）、ステップＳ１２の処理に戻る。発生したイベントがフルスクリーンモードに移行するためのイベントであると判断した場合（ステップＳ１４のＹｅｓ）、映像状態監視モジュール１０２１は、映像状態通知モジュール１０２２にＣＥＣコントローラ２７に、フルスクリーンモードの映像信号が送信されていることを示す全画面動画モードコマンド（モニタ２に第２の表示モードで表示させるためのコマンド）をモニタ２に送信するように指示する。ＣＥＣコントローラ２７は、指示に応じて、モニタ２に対して全画面動画モードコマンドを送信する（ステップＳ１５）。
【００４８】
送信後、映像状態監視モジュール１０２１は、更にイベントの発生の有無を検出する（ステップＳ１６）。イベントが発生していないと判断した場合（ステップＳ１６のＮｏ）、ステップＳ１６の処理に戻る。イベントが発生したと判断した場合（ステップＳ１６のＹｅｓ）、発生したイベントがウィンドウモードに移行するためのイベントであるか否かを判別する（ステップＳ１７）。なお、ウィンドウモードに移行するためのイベントには、アプリケーション１０１を終了させるためのイベントも含む。発生したイベントがウィンドウモードに移行するためのイベントであると判断した場合（ステップＳ１７のＹｅｓ）、映像状態通知モジュール１０２２は、処理をＳ１１に戻し、ＣＥＣコントローラ２７に、ウィンドウモードの映像信号が送信されていることを示すウィンドウモードコマンド（第１の表示モードで表示させるためのコマンド）をモニタ２に送信するように指示する。
【００４９】
発生したイベントが、ウィンドウモードに変更するためのイベントではないと判断した場合（ステップＳ１７のＮｏ）、映像状態監視モジュール１０２１は、発生したイベントが番組表を表示するためのイベントであるか否かを判別する（ステップＳ１８）。発生したイベントが番組表を表示するためのイベントではないと判断した場合（ステップＳ１８のＮｏ）、映像状態監視モジュール１０２１は、ＨＤＤ１８内に格納されているコンテンツのリストを表示するためのイベントであるか否かを判別する（ステップＳ１９）。
【００５０】
ＴＶアプリケーションプログラム１０１がフルスクリーンモードで表示されている場合であっても、ステップＳ１８において番組表を表示するためのイベントであると判断された場合には（ステップＳ１８のＹｅｓ）、映像状態通知モジュール１０２２はＣＥＣコントローラ２７に、ウィンドウモードの映像信号が送信されていることを示すウィンドウモードコマンド（第１の表示モードで表示させるためのコマンド）をモニタ２に送信するように指示する。ＣＥＣコントローラ２７は、指示に応じて、モニタ２に対してウィンドウモードコマンドを送信する（ステップＳ２０）。同様に、ＴＶアプリケーションプログラム１０１がフルスクリーンモードで表示されていた場合であっても、ステップＳ１９においてコンテンツのリストを表示するためのイベントであると判断された場合には（ステップＳ１９のＹｅｓ）、映像状態通知モジュール１０２２はＣＥＣコントローラ２７に、ウィンドウモードの映像信号が送信されていることを示すウィンドウモードコマンド（第１の表示モードで表示させるためのコマンド）をモニタ２に送信するように指示し、ＣＥＣコントローラ２７は、モニタ２に対してウィンドウモードコマンドを送信する（ステップＳ２０）。
【００５１】
その後、送信後、映像状態監視モジュール１０２１は、更にイベントの発生の有無を検出する（ステップＳ２１）。イベントが発生していないと判断した場合（ステップＳ２１のＮｏ）、ステップＳ２１の処理に戻る。イベントが発生したと判断した場合（ステップＳ２１のＹｅｓ）、映像状態監視モジュール１０２１は、発生したイベントが番組表またはコンテンツリストの表示状態を終了し、動画を開始するためのイベントであるか否かを判別する（ステップＳ２２）。発生したイベントが番組表またはコンテンツリストの表示状態を終了し、動画を開始するためのイベントではないと判断した場合（ステップＳ２２のＮｏ）、ステップＳ２１の処理に戻る。
【００５２】
発生したイベントが番組表またはコンテンツリストの表示状態を終了し、動画表示を開始するためのイベントであると判断した場合（ステップＳ２２のＹｅｓ。尚ここで、ステップＳ２２においてＴＶアプリケーションプログラム１０１はフルスクリーンモードでの表示状態であるものとする）、映像状態監視モジュール１０２１は、全画面動画モードコマンド（第２の表示モードで表示させるためのコマンド）をモニタ２に送信するように指示する。ＣＥＣコントローラ２７は、指示に応じて、モニタ２に対して全画面動画モードコマンドを送信する（ステップＳ２３）。そして、映像状態監視モジュール１０２１は、ステップＳ１６からの処理を順実行する。
【００５３】
以上の処理で、コンピュータ１が、映像信号に応じて表示される映像の内容に応じたコマンドを送信することができる。モニタ２はコンピュータが送信したコマンドを受信し、ＨＤＭＩケーブル３を介して受信した映像信号を表示する際に、受信したコマンドに応じた好適な画質で表示を行う。
【００５４】
なお、上記説明では、ＴＶチューナ２５で受信した放送番組を表示するＴＶアプリケーションプログラム１０１を例にとって説明したが、ＴＶアプリケーションプログラム１０１の代わりにＤＶＤ等の光ディスクに記録されているコンテンツの情報をＯＤＤ１９によって読み出し、読み出された情報に応じてコンテンツの表示を行うプログラムであっても良い。また、上記実施形態では、ＨＤＭＩケーブルによって、コンピュータ１とモニタ２とを接続しているが、ＤｉｓｐｌａｙＰｏｒｔケーブルによって接続しても良い。
【００５５】
ＨＤＭＩ経由の通知用アプリケーションが、動画再生アプリケーションとモニタ２の仲介をしているが、動画再生アプリが直接TVに対して状態通知を行ってもよい。
【００５６】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００５７】
１…パーソナルコンピュータ，２…モニタ，３…ＨＤＭＩケーブル，１１…ＣＰＵ，１４…グラフィックスコントローラ，２３…キーボード，２４…タッチパッド，２５…ＴＶチューナ，２５Ａ…アンテナ端子，２６…ＨＤＭＩコネクタ，２７…ＣＥＣコントローラ，１００…オペレーティングシステム，１０１…ＴＶアプリケーションプログラム，１０２…映像状態通知ユーティリティ，１０１１…動画再生モジュール，１０１２…番組表表示モジュール，１０１３…コンテンツリスト表示モジュール，１０２１…映像状態監視モジュール，１０２２…映像状態通知モジュール。
【図１】
2010081638.tif 000003
【図２】
2010081638.tif 000004
【図３】
2010081638.tif 000005
【図４】
2010081638.tif 000006
【図５】
2010081638.tif 000007
【図６】
2010081638.tif 000008